(57)【要約】【課題】光源を点滅させる必要なく、羽根車の周囲が点滅するように見せる。【解決手段】回転可能に構成された羽根車１の背面側に光源Ｌ１，Ｌ１’を配置した遊技機器用照明装置において、光源Ｌ１，Ｌ１’から照射された光を羽根車１の中心軸線１’から近い位置Ｐ１，Ｐ１’に反射するための反射面Ｓ１と、光源Ｌ１，Ｌ１’から照射された光を羽根車１の中心軸線１’から遠い位置Ｐ２，Ｐ２’に反射するための反射面Ｓ２とを羽根車１の背面のうち、羽根車１の周方向の異なる位置に形成し、反射面Ｓ１からの反射光を羽根車１の表面側に反射するためのリフレクタＲ１，Ｒ１’を位置Ｐ１，Ｐ１’に配置し、反射面Ｓ２からの反射光を羽根車１の表面側に反射するためのリフレクタＲ２，Ｒ２’を位置Ｐ２，Ｐ２’に配置した。【選択図】図１
2007330705.tif 000002
【特許請求の範囲】
【請求項１】
回転可能に構成された羽根車の背面側に光源を配置した遊技機器用照明装置において、前記光源から照射された光を羽根車の中心軸線から近い第１の位置に反射するための第１反射面と、前記光源から照射された光を羽根車の中心軸線から遠い第２の位置に反射するための第２反射面とを前記羽根車の背面のうち、羽根車の周方向の異なる位置に形成し、前記第１反射面からの反射光を羽根車の表面側に反射するための第１リフレクタを前記第１の位置に配置し、前記第２反射面からの反射光を羽根車の表面側に反射するための第２リフレクタを前記第２の位置に配置したことを特徴とする遊技機器用照明装置。
【請求項２】
前記光源から照射された光を前記第２の位置よりも羽根車の中心軸線から遠い第３の位置に反射するための第３反射面を、前記羽根車の背面のうち、前記第１反射面および前記第２反射面とは羽根車の周方向の異なる位置に形成し、
前記第３反射面からの反射光を羽根車の表面側に反射するための第３リフレクタを前記第３の位置に配置し、
前記第１リフレクタと、前記第２リフレクタと、前記第３リフレクタとを直線上に配列し、
第１反射面、第２反射面、第３反射面の順に、前記第１反射面と、前記第２反射面と、前記第３反射面とを羽根車の周方向に配列したことを特徴とする請求項１に記載の遊技機器用照明装置。
【請求項３】
前記第１反射面、前記第２反射面および前記第３反射面を楕円系反射面によって構成し、
前記光源からの光が前記第１反射面に照射される瞬間に、第１反射面の第１焦点上、あるいは、その近傍に前記光源が位置するように、前記第１反射面を前記羽根車の背面に形成すると共に、その瞬間に、前記第１反射面とその第２焦点との延長線上に前記第１リフレクタが位置するように、前記第１リフレクタを形成し、
前記光源からの光が前記第２反射面に照射される瞬間に、第２反射面の第１焦点上、あるいは、その近傍に前記光源が位置するように、前記第２反射面を前記羽根車の背面に形成すると共に、その瞬間に、前記第２反射面とその第２焦点との延長線上に前記第２リフレクタが位置するように、前記第２リフレクタを形成し、
前記光源からの光が前記第３反射面に照射される瞬間に、第３反射面の第１焦点上、あるいは、その近傍に前記光源が位置するように、前記第３反射面を前記羽根車の背面に形成すると共に、その瞬間に、前記第３反射面とその第２焦点との延長線上に前記第３リフレクタが位置するように、前記第３リフレクタを形成したことを特徴とする請求項２に記載の遊技機器用照明装置。
【請求項４】
羽根車の周方向の第１反射面の幅寸法と、羽根車の周方向の第２反射面の幅寸法と、羽根車の周方向の第３反射面の幅寸法とが等しくなるように、前記第１反射面、前記第２反射面および前記第３反射面を形成し、前記第１の位置と前記第２の位置との間隔と、前記第２の位置と前記第３の位置との間隔とが等しくなるように、前記第１の位置、前記第２の位置および前記第３の位置を設定したことを特徴とする請求項３に記載の遊技機器用照明装置。
【請求項５】
透光性を有する材料によって前記羽根車を形成したことを特徴とする請求項１〜４のいずれか一項に記載の遊技機器用照明装置。
【請求項６】
前記羽根車を回転させ続けるための駆動手段を設けたことを特徴とする請求項１〜５のいずれか一項に記載の遊技機器用照明装置。
【発明の詳細な説明】
【技術分野】
【０００１】
本発明は、回転可能に構成された羽根車の背面側に光源を配置した遊技機器用照明装置に関し、特には、羽根車を回転させることにより、光源を点滅させる必要なく、羽根車の周囲が点滅するように見せることができる遊技機器用照明装置に関する。
【０００２】
詳細には、本発明は、１つの光源を用いることによって、羽根車の周囲の複数の異なる位置が点滅するように見せることができる遊技機器用照明装置に関する。
【背景技術】
【０００３】
従来から、回転可能に構成された羽根車（羽根部材）の背面側に光源（発光ダイオード）を配置した遊技機器用照明装置が知られている。この種の遊技機器用照明装置の例としては、例えば特開２００１−３５３２７５号公報に記載されたものがある。
【０００４】
特開２００１−３５３２７５号公報に記載された遊技機器用照明装置では、光源（発光ダイオード）からの直射光が羽根車（羽根部材）の背面に照射されている。また、特開２００１−３５３２７５号公報に記載された遊技機器用照明装置では、光源（発光ダイオード）からの光が、１回以上の反射を経た後に、羽根車（羽根部材）の背面に照射されている。
【０００５】
詳細には、特開２００１−３５３２７５号公報に記載された遊技機器用照明装置では、羽根車（羽根部材）が透光性を有する材料によって形成されており、光源（発光ダイオード）からの光が羽根車（羽根部材）の背面に照射されると、羽根車（羽根部材）が羽根車（羽根部材）の表面側から明るく見えるように構成されている。
【０００６】
ところで、特開２００１−３５３２７５号公報には、光源（発光ダイオード）の点灯時に、羽根車（羽根部材）が回転せしめられると、光源（発光ダイオード）からの光が羽根車（羽根部材）の背面によって様々な方向に拡散せしめられ、羽根車（羽根部材）が光源（発光ダイオード）からの光によって効果的に照らされる旨が記載されているが、特開２００１−３５３２７５号公報に記載された遊技機器用照明装置では、羽根車（羽根部材）の背面からの反射光を利用して、羽根車（羽根部材）の周囲が光って見えるようにすることが行われていない。
【０００７】
つまり、特開２００１−３５３２７５号公報に記載された遊技機器用照明装置では、光源（発光ダイオード）からの光によって羽根車（羽根部材）自体が明るく見えるようにされているものの、光源（発光ダイオード）からの光を利用して羽根車（羽根部材）の周囲が光って見えるようにすることが行われていない。
【０００８】
そのため、特開２００１−３５３２７５号公報に記載された遊技機器用照明装置によっては、光源を点滅させることなく、羽根車（羽根部材）の周囲が点滅するように見せることができない。
【０００９】
更に、特開２００１−３５３２７５号公報に記載された遊技機器用照明装置によっては、１つの光源を用いることにより羽根車（羽根部材）の周囲の複数の異なる位置が点滅するように見せることもできない。
【００１０】
【特許文献１】特開２００１−３５３２７５号公報
【発明の開示】
【発明が解決しようとする課題】
【００１１】
前記問題点に鑑み、本発明は、羽根車を回転させることにより、光源を点滅させる必要なく、羽根車の周囲が点滅するように見せることができる遊技機器用照明装置を提供することを目的とする。
【００１２】
詳細には、本発明は、１つの光源を用いることによって、羽根車の周囲の複数の異なる位置が点滅するように見せることができる遊技機器用照明装置を提供することを目的とする。
【課題を解決するための手段】
【００１３】
請求項１に記載の発明によれば、回転可能に構成された羽根車の背面側に光源を配置した遊技機器用照明装置において、前記光源から照射された光を羽根車の中心軸線から近い第１の位置に反射するための第１反射面と、前記光源から照射された光を羽根車の中心軸線から遠い第２の位置に反射するための第２反射面とを前記羽根車の背面のうち、羽根車の周方向の異なる位置に形成し、前記第１反射面からの反射光を羽根車の表面側に反射するための第１リフレクタを前記第１の位置に配置し、前記第２反射面からの反射光を羽根車の表面側に反射するための第２リフレクタを前記第２の位置に配置したことを特徴とする遊技機器用照明装置が提供される。
【００１４】
請求項２に記載の発明によれば、前記光源から照射された光を前記第２の位置よりも羽根車の中心軸線から遠い第３の位置に反射するための第３反射面を、前記羽根車の背面のうち、前記第１反射面および前記第２反射面とは羽根車の周方向の異なる位置に形成し、前記第３反射面からの反射光を羽根車の表面側に反射するための第３リフレクタを前記第３の位置に配置し、前記第１リフレクタと、前記第２リフレクタと、前記第３リフレクタとを直線上に配列し、第１反射面、第２反射面、第３反射面の順に、前記第１反射面と、前記第２反射面と、前記第３反射面とを羽根車の周方向に配列したことを特徴とする請求項１に記載の遊技機器用照明装置が提供される。
【００１５】
請求項３に記載の発明によれば、前記第１反射面、前記第２反射面および前記第３反射面を楕円系反射面によって構成し、前記光源からの光が前記第１反射面に照射される瞬間に、第１反射面の第１焦点上、あるいは、その近傍に前記光源が位置するように、前記第１反射面を前記羽根車の背面に形成すると共に、その瞬間に、前記第１反射面とその第２焦点との延長線上に前記第１リフレクタが位置するように、前記第１リフレクタを形成し、前記光源からの光が前記第２反射面に照射される瞬間に、第２反射面の第１焦点上、あるいは、その近傍に前記光源が位置するように、前記第２反射面を前記羽根車の背面に形成すると共に、その瞬間に、前記第２反射面とその第２焦点との延長線上に前記第２リフレクタが位置するように、前記第２リフレクタを形成し、前記光源からの光が前記第３反射面に照射される瞬間に、第３反射面の第１焦点上、あるいは、その近傍に前記光源が位置するように、前記第３反射面を前記羽根車の背面に形成すると共に、その瞬間に、前記第３反射面とその第２焦点との延長線上に前記第３リフレクタが位置するように、前記第３リフレクタを形成したことを特徴とする請求項２に記載の遊技機器用照明装置が提供される。
【００１６】
請求項４に記載の発明によれば、羽根車の周方向の第１反射面の幅寸法と、羽根車の周方向の第２反射面の幅寸法と、羽根車の周方向の第３反射面の幅寸法とが等しくなるように、前記第１反射面、前記第２反射面および前記第３反射面を形成し、前記第１の位置と前記第２の位置との間隔と、前記第２の位置と前記第３の位置との間隔とが等しくなるように、前記第１の位置、前記第２の位置および前記第３の位置を設定したことを特徴とする請求項３に記載の遊技機器用照明装置が提供される。
【００１７】
請求項５に記載の発明によれば、透光性を有する材料によって前記羽根車を形成したことを特徴とする請求項１〜４のいずれか一項に記載の遊技機器用照明装置が提供される。
【００１８】
請求項６に記載の発明によれば、前記羽根車を回転させ続けるための駆動手段を設けたことを特徴とする請求項１〜５のいずれか一項に記載の遊技機器用照明装置が提供される。
【発明の効果】
【００１９】
請求項１に記載の遊技機器用照明装置では、羽根車の背面側に配置された光源から照射された光を羽根車の中心軸線から近い第１の位置に反射するための第１反射面と、光源から照射された光を羽根車の中心軸線から遠い第２の位置に反射するための第２反射面とが、羽根車の背面のうち、羽根車の周方向の異なる位置に形成されている。
【００２０】
更に、請求項１に記載の遊技機器用照明装置では、第１反射面からの反射光を羽根車の表面側に反射するための第１リフレクタが第１の位置に配置され、第２反射面からの反射光を羽根車の表面側に反射するための第２リフレクタが第２の位置に配置されている。
【００２１】
詳細には、請求項１に記載の遊技機器用照明装置では、羽根車が回転せしめられると、光源からの光が第１反射面に照射される瞬間に、光源からの光が、第１反射面によって反射され、羽根車の中心軸線から近い第１の位置に配置された第１リフレクタに照射される。次いで、その光が第１リフレクタによって反射され、羽根車の表面側に照射される。つまり、光源からの光が第１反射面に照射される瞬間には、羽根車の中心軸線から近い第１の位置が点灯しているように羽根車の表面側から見える。
【００２２】
次いで、光源からの光が第２反射面に照射される瞬間には、光源からの光が、第２反射面によって反射され、羽根車の中心軸線から遠い第２の位置に配置された第２リフレクタに照射される。次いで、その光が第２リフレクタによって反射され、羽根車の表面側に照射される。つまり、光源からの光が第２反射面に照射される瞬間には、羽根車の中心軸線から遠い第２の位置が点灯しているように羽根車の表面側から見える。
【００２３】
そのため、請求項１に記載の遊技機器用照明装置によれば、羽根車を回転させることにより、光源を点滅させる必要なく、羽根車の周囲が点滅するように見せることができる。
【００２４】
詳細には、請求項１に記載の遊技機器用照明装置によれば、１つの光源を用いることによって、羽根車の周囲の複数の異なる位置が点滅するように見せることができる。
【００２５】
請求項２に記載の遊技機器用照明装置では、羽根車の背面側に配置された光源から照射された光を羽根車の中心軸線から近い第１の位置に反射するための第１反射面と、光源から照射された光を羽根車の中心軸線から遠い第２の位置に反射するための第２反射面と、光源から照射された光を第２の位置よりも羽根車の中心軸線から遠い第３の位置に反射するための第３反射面とが、羽根車の背面のうち、羽根車の周方向の異なる位置に形成されている。
【００２６】
更に、請求項２に記載の遊技機器用照明装置では、第１反射面からの反射光を羽根車の表面側に反射するための第１リフレクタが第１の位置に配置され、第２反射面からの反射光を羽根車の表面側に反射するための第２リフレクタが第２の位置に配置され、第３反射面からの反射光を羽根車の表面側に反射するための第３リフレクタが第３の位置に配置されている。
【００２７】
また、請求項２に記載の遊技機器用照明装置では、第１リフレクタと、第２リフレクタと、第３リフレクタとが直線上に配列されている。
【００２８】
更に、請求項２に記載の遊技機器用照明装置では、第１反射面、第２反射面、第３反射面の順に、第１反射面と、第２反射面と、第３反射面とが羽根車の周方向に配列されている。
【００２９】
詳細には、請求項２に記載の遊技機器用照明装置では、羽根車が回転せしめられると、光源からの光が第１反射面に照射される瞬間に、光源からの光が、第１反射面によって反射され、羽根車の中心軸線から近い第１の位置に配置された第１リフレクタに照射される。次いで、その光が第１リフレクタによって反射され、羽根車の表面側に照射される。つまり、光源からの光が第１反射面に照射される瞬間には、羽根車の中心軸線から近い第１の位置が点灯しているように羽根車の表面側から見える。
【００３０】
次いで、光源からの光が第２反射面に照射される瞬間には、光源からの光が、第２反射面によって反射され、羽根車の中心軸線から遠い第２の位置に配置された第２リフレクタに照射される。次いで、その光が第２リフレクタによって反射され、羽根車の表面側に照射される。つまり、光源からの光が第２反射面に照射される瞬間には、羽根車の中心軸線から遠い第２の位置が点灯しているように羽根車の表面側から見える。
【００３１】
次いで、光源からの光が第３反射面に照射される瞬間には、光源からの光が、第３反射面によって反射され、第２の位置よりも羽根車の中心軸線から遠い第３の位置に配置された第３リフレクタに照射される。次いで、その光が第３リフレクタによって反射され、羽根車の表面側に照射される。つまり、光源からの光が第３反射面に照射される瞬間には、第２の位置よりも羽根車の中心軸線から遠い第３の位置が点灯しているように羽根車の表面側から見える。
【００３２】
そのため、請求項２に記載の遊技機器用照明装置によれば、光が第１の位置、第２の位置、第３の位置の順に直線上を移動しながら点滅するように見せることができる。
【００３３】
詳細には、請求項２に記載の遊技機器用照明装置によれば、光源を点滅させる必要なく、かつ、光源を移動させる必要なく、羽根車を回転させることにより、光が直線上を移動しながら点滅するように見せることができる。
【００３４】
請求項３に記載の遊技機器用照明装置では、第１反射面、第２反射面および第３反射面が楕円系反射面によって構成されている。
【００３５】
更に、請求項３に記載の遊技機器用照明装置では、光源からの光が第１反射面に照射される瞬間に、第１反射面の第１焦点上、あるいは、その近傍に光源が位置するように、第１反射面が羽根車の背面に形成されると共に、その瞬間に、第１反射面とその第２焦点との延長線上に第１リフレクタが位置するように、第１リフレクタが形成されている。
【００３６】
つまり、請求項３に記載の遊技機器用照明装置では、光源からの光が第１反射面に照射される瞬間に、第１反射面に照射された光源からの光の殆どが、第１反射面および第１リフレクタを経て、羽根車の表面側に照射される。
【００３７】
そのため、請求項３に記載の遊技機器用照明装置によれば、光源の発光量を増加させる必要なく、第１リフレクタが配置された第１の位置が明るく点滅するように見せることができる。
【００３８】
また、請求項３に記載の遊技機器用照明装置では、光源からの光が第２反射面に照射される瞬間に、第２反射面の第１焦点上、あるいは、その近傍に光源が位置するように、第２反射面が羽根車の背面に形成されると共に、その瞬間に、第２反射面とその第２焦点との延長線上に第２リフレクタが位置するように、第２リフレクタが形成されている。
【００３９】
つまり、請求項３に記載の遊技機器用照明装置では、光源からの光が第２反射面に照射される瞬間に、第２反射面に照射された光源からの光の殆どが、第２反射面および第２リフレクタを経て、羽根車の表面側に照射される。
【００４０】
そのため、請求項３に記載の遊技機器用照明装置によれば、光源の発光量を増加させる必要なく、第２リフレクタが配置された第２の位置が明るく点滅するように見せることができる。
【００４１】
更に、請求項３に記載の遊技機器用照明装置では、光源からの光が第３反射面に照射される瞬間に、第３反射面の第１焦点上、あるいは、その近傍に光源が位置するように、第３反射面が羽根車の背面に形成されると共に、その瞬間に、第３反射面とその第２焦点との延長線上に第３リフレクタが位置するように、第３リフレクタが形成されている。
【００４２】
つまり、請求項３に記載の遊技機器用照明装置では、光源からの光が第３反射面に照射される瞬間に、第３反射面に照射された光源からの光の殆どが、第３反射面および第３リフレクタを経て、羽根車の表面側に照射される。
【００４３】
そのため、請求項３に記載の遊技機器用照明装置によれば、光源の発光量を増加させる必要なく、第３リフレクタが配置された第３の位置が明るく点滅するように見せることができる。
【００４４】
請求項４に記載の遊技機器用照明装置では、羽根車の周方向の第１反射面の幅寸法と、羽根車の周方向の第２反射面の幅寸法と、羽根車の周方向の第３反射面の幅寸法とが等しくなるように、第１反射面、第２反射面および第３反射面が形成されている。
【００４５】
更に、請求項４に記載の遊技機器用照明装置では、第１の位置と第２の位置との間隔と、第２の位置と第３の位置との間隔とが等しくなるように、第１の位置、第２の位置および第３の位置が設定されている。
【００４６】
そのため、請求項４に記載の遊技機器用照明装置によれば、羽根車を等速で回転させることにより、第１の位置が点灯して見える期間と、第２の位置が点灯して見える期間と、第３の位置が点灯して見える期間とを等しくすることができ、その結果、第１の位置と第３の位置との間で光が直線上を等速運動しながら点滅するように見せることができる。
【００４７】
請求項５に記載の遊技機器用照明装置では、透光性を有する材料によって羽根車が形成されている。そのため、請求項６に記載の遊技機器用照明装置によれば、第１リフレクタ、第２リフレクタおよび第３リフレクタからの反射光のみならず、羽根車を透過した光を羽根車の表面側に照射することができる。
【００４８】
請求項６に記載の遊技機器用照明装置では、羽根車を回転させ続けるために例えばモータ等のような駆動手段が設けられている。そのため、請求項６に記載の遊技機器用照明装置によれば、例えばパチンコ台のパチンコ玉が羽根車に当たらない時、あるいは、例えばピンボールゲーム機のピンボール球が羽根車に当たらない時においても、羽根車を回転させることができ、その結果、光源を点滅させる必要なく、羽根車の周囲が点滅するように見せることができる。
【発明を実施するための最良の形態】
【００４９】
以下、本発明の遊技機器用照明装置の第１の実施形態について説明する。図１は第１の実施形態の遊技機器用照明装置の要部の斜視図、図２は第１の実施形態の遊技機器用照明装置の要部の平面図、図３は図１および図２に示した羽根車１を背面側（図１の下側、図２の奥側）から見た図、図４は直線Ｘおよび羽根車１の中心軸線１’を含む平面によって切断した第１の実施形態の遊技機器用照明装置の要部の断面図である。
【００５０】
図１〜図４において、２は羽根車１を回転可能に支持するベース部を示している。Ｌ１，Ｌ１’は羽根車１の背面側（図１および図４の下側）に配置された例えばＬＥＤのような光源を示している。Ｌ１ａは光源Ｌ１の主光軸線を示しており、Ｌ１ａ’は光源Ｌ１’の主光軸線を示している。
【００５１】
また、図１〜図４において、Ｓ１は光源Ｌ１と対向せしめられた時に、光源Ｌ１から照射された光を羽根車１の中心軸線１’から比較的近い位置Ｐ１に反射するために羽根車１の背面（図１の下側の面、図２の奥側の面、図３の手前側の面、図４の下側の面）に形成された反射面を示している。この反射面Ｓ１は、光源Ｌ１’と対向せしめられた時には、光源Ｌ１’から照射された光を羽根車１の中心軸線１’から比較的近い位置Ｐ１’に反射することができる。
【００５２】
更に、図１〜図４において、Ｓ２は光源Ｌ１と対向せしめられた時に、光源Ｌ１から照射された光を位置Ｐ１よりも羽根車１の中心軸線１’から遠い位置Ｐ２に反射するために羽根車１の背面（図１の下側の面、図２の奥側の面、図３の手前側の面、図４の下側の面）に形成された反射面を示している。この反射面Ｓ２は、光源Ｌ１’と対向せしめられた時には、光源Ｌ１’から照射された光を位置Ｐ１’よりも羽根車１の中心軸線１’から遠い位置Ｐ２’に反射することができる。
【００５３】
また、図１〜図４において、Ｓ３は光源Ｌ１と対向せしめられた時に、光源Ｌ１から照射された光を位置Ｐ２よりも羽根車１の中心軸線１’から遠い位置Ｐ３に反射するために羽根車１の背面（図１の下側の面、図２の奥側の面、図３の手前側の面、図４の下側の面）に形成された反射面を示している。この反射面Ｓ３は、光源Ｌ１’と対向せしめられた時には、光源Ｌ１’から照射された光を位置Ｐ２’よりも羽根車１の中心軸線１’から遠い位置Ｐ３’に反射することができる。
【００５４】
第１の実施形態の遊技機器用照明装置では、図２および図３に示すように、反射面Ｓ１，Ｓ２，Ｓ３が羽根車１の周方向の異なる位置に形成されている。詳細には、第１の実施形態の遊技機器用照明装置では、羽根車１の中心軸線１’を中心として反射面Ｓ１を約４５°回転させた位置に反射面Ｓ２が形成されている。また、羽根車１の中心軸線１’を中心として反射面Ｓ１を約９０°回転させた位置に反射面Ｓ３が形成されている。更に詳細には、第１の実施形態の遊技機器用照明装置では、羽根車１の背面（図２の奥側の面、図３の手前側の面）に、２個の反射面Ｓ１と、４個の反射面Ｓ２と、２個の反射面Ｓ３とが形成されている。また、第１の実施形態の遊技機器用照明装置では、反射面Ｓ１→反射面Ｓ２→反射面Ｓ３→反射面Ｓ２→反射面Ｓ１の順に、反射面Ｓ１，Ｓ２，Ｓ３が羽根車１の周方向に配列されている。
【００５５】
また、第１の実施形態の遊技機器用照明装置では、図３に示すように、羽根車１の周方向の反射面Ｓ１の幅寸法Ｗ１と、羽根車１の周方向の反射面Ｓ２の幅寸法Ｗ２と、羽根車１の周方向の反射面Ｓ３の幅寸法Ｗ３とが等しくなるように、反射面Ｓ１，Ｓ２，Ｓ３が形成されている。
【００５６】
更に、図１〜図４において、Ｒ１は反射面Ｓ１からの反射光を羽根車１の表面側（図１の上側、図２の手前側、図４の上側）に反射するために位置Ｐ１に配置されたリフレクタを示している。Ｒ２は反射面Ｓ２からの反射光を羽根車１の表面側（図１の上側、図２の手前側、図４の上側）に反射するために位置Ｐ２に配置されたリフレクタを示している。Ｒ３は反射面Ｓ３からの反射光を羽根車１の表面側（図１の上側、図２の手前側、図４の上側）に反射するために位置Ｐ３に配置されたリフレクタを示している。
【００５７】
また、図１〜図４において、Ｒ１’は反射面Ｓ１からの反射光を羽根車１の表面側（図１の上側、図２の手前側、図４の上側）に反射するために位置Ｐ１’に配置されたリフレクタを示している。Ｒ２’は反射面Ｓ２からの反射光を羽根車１の表面側（図１の上側、図２の手前側、図４の上側）に反射するために位置Ｐ２’に配置されたリフレクタを示している。Ｒ３’は反射面Ｓ３からの反射光を羽根車１の表面側（図１の上側、図２の手前側、図４の上側）に反射するために位置Ｐ３’に配置されたリフレクタを示している。
【００５８】
第１の実施形態の遊技機器用照明装置では、図１、図２および図４に示すように、リフレクタＲ１，Ｒ２，Ｒ３，Ｒ１’，Ｒ２’，Ｒ３’が、羽根車１の主光軸線１’と直交する直線Ｘ上に配列されている。詳細には、第１の実施形態の遊技機器用照明装置では、図４に示すように、位置Ｐ１と位置Ｐ２との間隔Ｗ１２と、位置Ｐ２と位置Ｐ３との間隔Ｗ２３と、位置Ｐ１’と位置Ｐ２’との間隔Ｗ１２’と、位置Ｐ２’と位置Ｐ３’との間隔Ｗ２３’とが等しくなるように、位置Ｐ１，Ｐ２，Ｐ３，Ｐ１’，Ｐ２’，Ｐ３’が設定されている。
【００５９】
更に、第１の実施形態の遊技機器用照明装置では、図４に示すように、複数の楕円弧を組み合わせることによって得られる楕円系反射面によって反射面Ｓ１が構成されている。詳細には、図４に示すように、反射面Ｓ１が光源Ｌ１と対向せしめられ、光源Ｌ１からの光が反射面Ｓ１に照射される瞬間に、反射面Ｓ１の第１焦点Ｓ１ａ上、あるいは、その近傍に光源Ｌ１が位置するように、反射面Ｓ１が形成されている。更に、その瞬間に、反射面Ｓ１とその第２焦点Ｓ１ｂとの延長線Ａ１，Ａ２上にリフレクタＲ１が位置するように、リフレクタＲ１が形成されている。
【００６０】
また、第１の実施形態の遊技機器用照明装置では、図４に示すように、反射面Ｓ１が光源Ｌ１’と対向せしめられ、光源Ｌ１’からの光が反射面Ｓ１に照射される瞬間に、反射面Ｓ１の第１焦点Ｓ１ａ上、あるいは、その近傍に光源Ｌ１’が位置するように、反射面Ｓ１が形成されている。更に、その瞬間に、反射面Ｓ１とその第２焦点Ｓ１ｂとの延長線Ａ１，Ａ２上にリフレクタＲ１’が位置するように、リフレクタＲ１’が形成されている。
【００６１】
図５は反射面Ｓ１が光源Ｌ１，Ｌ１’と対向せしめられ、光源Ｌ１，Ｌ１’からの光が反射面Ｓ１に照射される瞬間における光源Ｌ１，Ｌ１’からの光の光路を示した図である。
【００６２】
第１の実施形態の遊技機器用照明装置では、図５に示すように、反射面Ｓ１が光源Ｌ１，Ｌ１’と対向せしめられ、光源Ｌ１，Ｌ１’からの光が反射面Ｓ１に照射される瞬間に、光源Ｌ１からの光が、反射面Ｓ１によって反射され、リフレクタＲ１に照射される。次いで、その光がリフレクタＲ１によって反射され、羽根車１の表面側（図５の上側）に照射される。また、その瞬間に、光源Ｌ１’からの光が、反射面Ｓ１によって反射され、リフレクタＲ１’に照射される。次いで、その光がリフレクタＲ１’によって反射され、羽根車１の表面側（図５の上側）に照射される。
【００６３】
つまり、第１の実施形態の遊技機器用照明装置では、図５に示すように、反射面Ｓ１が光源Ｌ１，Ｌ１’と対向せしめられ、光源Ｌ１，Ｌ１’からの光が反射面Ｓ１に照射される瞬間に、位置Ｐ１，Ｐ１’が点灯しているように羽根車１の表面側（図５の上側）から見える。詳細には、図２および図５に示すように、反射面Ｓ１が光源Ｌ１，Ｌ１’と対向せしめられ、光源Ｌ１，Ｌ１’からの光が反射面Ｓ１に照射される瞬間に、羽根車１の表面側（図２の手前側、図５の上側）からリフレクタＲ１，Ｒ１’が光って見える。
【００６４】
第１の実施形態の遊技機器用照明装置では、図１および図２に示すように反射面Ｓ１が光源Ｌ１，Ｌ１’と対向せしめられている状態から羽根車１が例えば時計回りに回転せしめられると、反射面Ｓ２が光源Ｌ１，Ｌ１’と対向せしめられる。
【００６５】
図６は反射面Ｓ２が光源Ｌ１，Ｌ１’と対向せしめられる瞬間における図２と同様の第１の実施形態の遊技機器用照明装置の要部の平面図である。図７は反射面Ｓ２が光源Ｌ１，Ｌ１’と対向せしめられる瞬間における図４と同様の第１の実施形態の遊技機器用照明装置の要部の断面図である。
【００６６】
第１の実施形態の遊技機器用照明装置では、図６および図７に示すように、複数の楕円弧を組み合わせることによって得られる楕円系反射面によって反射面Ｓ２が構成されている。詳細には、図７に示すように、反射面Ｓ２が光源Ｌ１と対向せしめられ、光源Ｌ１からの光が反射面Ｓ２に照射される瞬間に、反射面Ｓ２の第１焦点Ｓ２ａ上、あるいは、その近傍に光源Ｌ１が位置するように、反射面Ｓ２が形成されている。更に、その瞬間に、反射面Ｓ２とその第２焦点Ｓ２ｂとの延長線Ｂ１，Ｂ２上にリフレクタＲ２が位置するように、リフレクタＲ２が形成されている。
【００６７】
また、第１の実施形態の遊技機器用照明装置では、図７に示すように、反射面Ｓ２が光源Ｌ１’と対向せしめられ、光源Ｌ１’からの光が反射面Ｓ２に照射される瞬間に、反射面Ｓ２の第１焦点Ｓ２ａ上、あるいは、その近傍に光源Ｌ１’が位置するように、反射面Ｓ２が形成されている。更に、その瞬間に、反射面Ｓ２とその第２焦点Ｓ２ｂとの延長線Ｂ１，Ｂ２上にリフレクタＲ２’が位置するように、リフレクタＲ２’が形成されている。
【００６８】
図８は反射面Ｓ２が光源Ｌ１，Ｌ１’と対向せしめられる瞬間における図５と同様の光源Ｌ１，Ｌ１’からの光の光路を示した図である。
【００６９】
第１の実施形態の遊技機器用照明装置では、図８に示すように、反射面Ｓ２が光源Ｌ１，Ｌ１’と対向せしめられ、光源Ｌ１，Ｌ１’からの光が反射面Ｓ２に照射される瞬間に、光源Ｌ１からの光が、反射面Ｓ２によって反射され、リフレクタＲ２に照射される。次いで、その光がリフレクタＲ２によって反射され、羽根車１の表面側（図８の上側）に照射される。また、その瞬間に、光源Ｌ１’からの光が、反射面Ｓ２によって反射され、リフレクタＲ２’に照射される。次いで、その光がリフレクタＲ２’によって反射され、羽根車１の表面側（図８の上側）に照射される。
【００７０】
つまり、第１の実施形態の遊技機器用照明装置では、図８に示すように、反射面Ｓ２が光源Ｌ１，Ｌ１’と対向せしめられ、光源Ｌ１，Ｌ１’からの光が反射面Ｓ２に照射される瞬間に、位置Ｐ２，Ｐ２’が点灯しているように羽根車１の表面側（図８の上側）から見える。詳細には、図６および図８に示すように、反射面Ｓ２が光源Ｌ１，Ｌ１’と対向せしめられ、光源Ｌ１，Ｌ１’からの光が反射面Ｓ２に照射される瞬間に、羽根車１の表面側（図６の手前側、図８の上側）からリフレクタＲ２，Ｒ２’が光って見える。
【００７１】
第１の実施形態の遊技機器用照明装置では、図６および図７に示すように反射面Ｓ２が光源Ｌ１，Ｌ１’と対向せしめられている状態から羽根車１が時計回りに更に回転せしめられると、反射面Ｓ３が光源Ｌ１，Ｌ１’と対向せしめられる。
【００７２】
図９は反射面Ｓ３が光源Ｌ１，Ｌ１’と対向せしめられる瞬間における図２と同様の第１の実施形態の遊技機器用照明装置の要部の平面図である。図１０は反射面Ｓ３が光源Ｌ１，Ｌ１’と対向せしめられる瞬間における図４と同様の第１の実施形態の遊技機器用照明装置の要部の断面図である。
【００７３】
第１の実施形態の遊技機器用照明装置では、図９および図１０に示すように、複数の楕円弧を組み合わせることによって得られる楕円系反射面によって反射面Ｓ３が構成されている。詳細には、図１０に示すように、反射面Ｓ３が光源Ｌ１と対向せしめられ、光源Ｌ１からの光が反射面Ｓ３に照射される瞬間に、反射面Ｓ３の第１焦点Ｓ３ａ上、あるいは、その近傍に光源Ｌ１が位置するように、反射面Ｓ３が形成されている。更に、その瞬間に、反射面Ｓ３とその第２焦点Ｓ３ｂとの延長線Ｃ１，Ｃ２上にリフレクタＲ３が位置するように、リフレクタＲ３が形成されている。
【００７４】
また、第１の実施形態の遊技機器用照明装置では、図１０に示すように、反射面Ｓ３が光源Ｌ１’と対向せしめられ、光源Ｌ１’からの光が反射面Ｓ３に照射される瞬間に、反射面Ｓ３の第１焦点Ｓ３ａ上、あるいは、その近傍に光源Ｌ１’が位置するように、反射面Ｓ３が形成されている。更に、その瞬間に、反射面Ｓ３とその第２焦点Ｓ３ｂとの延長線Ｃ１，Ｃ２上にリフレクタＲ３’が位置するように、リフレクタＲ３’が形成されている。
【００７５】
図１１は反射面Ｓ３が光源Ｌ１，Ｌ１’と対向せしめられる瞬間における図５と同様の光源Ｌ１，Ｌ１’からの光の光路を示した図である。
【００７６】
第１の実施形態の遊技機器用照明装置では、図１１に示すように、反射面Ｓ３が光源Ｌ１，Ｌ１’と対向せしめられ、光源Ｌ１，Ｌ１’からの光が反射面Ｓ３に照射される瞬間に、光源Ｌ１からの光が、反射面Ｓ３によって反射され、リフレクタＲ３に照射される。次いで、その光がリフレクタＲ３によって反射され、羽根車１の表面側（図１１の上側）に照射される。また、その瞬間に、光源Ｌ１’からの光が、反射面Ｓ３によって反射され、リフレクタＲ３’に照射される。次いで、その光がリフレクタＲ３’によって反射され、羽根車１の表面側（図１１の上側）に照射される。
【００７７】
つまり、第１の実施形態の遊技機器用照明装置では、図１１に示すように、反射面Ｓ３が光源Ｌ１，Ｌ１’と対向せしめられ、光源Ｌ１，Ｌ１’からの光が反射面Ｓ３に照射される瞬間に、位置Ｐ３，Ｐ３’が点灯しているように羽根車１の表面側（図１１の上側）から見える。詳細には、図９および図１１に示すように、反射面Ｓ３が光源Ｌ１，Ｌ１’と対向せしめられ、光源Ｌ１，Ｌ１’からの光が反射面Ｓ３に照射される瞬間に、羽根車１の表面側（図９の手前側、図１１の上側）からリフレクタＲ３，Ｒ３’が光って見える。
【００７８】
詳細には、第１の実施形態の遊技機器用照明装置では、羽根車１が例えば図２の時計回りに回転せしめられると、図２および図５に示すように、光源Ｌ１からの光が反射面Ｓ１に照射される瞬間に、光源Ｌ１からの光が、反射面Ｓ１によって反射され、リフレクタＲ１に照射される。次いで、その光がリフレクタＲ１によって反射され、羽根車１の表面側（図２の手前側、図５の上側）に照射される。つまり、光源Ｌ１からの光が反射面Ｓ１に照射される瞬間には、位置Ｐ１（リフレクタＲ１）が点灯しているように羽根車１の表面側（図２の手前側、図５の上側）から見える。同様に、この瞬間には、位置Ｐ１’（リフレクタＲ１’）が点灯しているように羽根車１の表面側（図２の手前側、図５の上側）から見える。
【００７９】
次いで、羽根車１が図２の時計回りに更に回転せしめられ、図６および図８に示すように、光源Ｌ１からの光が反射面Ｓ２に照射される瞬間には、光源Ｌ１からの光が、反射面Ｓ２によって反射され、リフレクタＲ２に照射される。次いで、その光がリフレクタＲ２によって反射され、羽根車１の表面側（図６の手前側、図８の上側）に照射される。つまり、光源Ｌ１からの光が反射面Ｓ２に照射される瞬間には、位置Ｐ２（リフレクタＲ２）が点灯しているように羽根車１の表面側（図６の手前側、図８の上側）から見える。同様に、この瞬間には、位置Ｐ２’（リフレクタＲ２’）が点灯しているように羽根車１の表面側（図６の手前側、図８の上側）から見える。
【００８０】
次いで、羽根車１が図６の時計回りに更に回転せしめられ、図９および図１１に示すように、光源Ｌ１からの光が反射面Ｓ３に照射される瞬間には、光源Ｌ１からの光が、反射面Ｓ３によって反射され、リフレクタＲ３に照射される。次いで、その光がリフレクタＲ３によって反射され、羽根車１の表面側（図９の手前側、図１１の上側）に照射される。つまり、光源Ｌ１からの光が反射面Ｓ３に照射される瞬間には、位置Ｐ３（リフレクタＲ３）が点灯しているように羽根車１の表面側（図９の手前側、図１１の上側）から見える。同様に、この瞬間には、位置Ｐ３’（リフレクタＲ３’）が点灯しているように羽根車１の表面側（図９の手前側、図１１の上側）から見える。
【００８１】
次いで、羽根車１が図９の時計回りに更に回転せしめられ、図８に示すように、光源Ｌ１からの光が反射面Ｓ２に照射される瞬間には、光源Ｌ１からの光が、反射面Ｓ２によって反射され、リフレクタＲ２に照射される。次いで、その光がリフレクタＲ２によって反射され、羽根車１の表面側（図８の上側）に照射される。つまり、光源Ｌ１からの光が反射面Ｓ２に照射される瞬間には、位置Ｐ２（リフレクタＲ２）が点灯しているように羽根車１の表面側（図８の上側）から見える。同様に、この瞬間には、位置Ｐ２’（リフレクタＲ２’）が点灯しているように羽根車１の表面側（図８の上側）から見える。
【００８２】
次いで、羽根車１が図９の時計回りに更に回転せしめられ、図２および図５に示すように、光源Ｌ１からの光が反射面Ｓ１に照射される瞬間には、光源Ｌ１からの光が、反射面Ｓ１によって反射され、リフレクタＲ１に照射される。次いで、その光がリフレクタＲ１によって反射され、羽根車１の表面側（図２の手前側、図５の上側）に照射される。つまり、光源Ｌ１からの光が反射面Ｓ１に照射される瞬間には、位置Ｐ１（リフレクタＲ１）が点灯しているように羽根車１の表面側（図２の手前側、図５の上側）から見える。同様に、この瞬間には、位置Ｐ１’（リフレクタＲ１’）が点灯しているように羽根車１の表面側（図２の手前側、図５の上側）から見える。
【００８３】
そのため、第１の実施形態の遊技機器用照明装置によれば、光が位置Ｐ１（リフレクタＲ１）→位置Ｐ２（リフレクタＲ２）→位置Ｐ３（リフレクタＲ３）→位置Ｐ２（リフレクタＲ２）→位置Ｐ１（リフレクタＲ１）の順に直線Ｘ上を移動しながら点滅するように、かつ、光が位置Ｐ１’（リフレクタＲ１’）→位置Ｐ２’（リフレクタＲ２’）→位置Ｐ３’（リフレクタＲ３’）→位置Ｐ２’（リフレクタＲ２’）→位置Ｐ１’（リフレクタＲ１’）の順に直線Ｘ上を移動しながら点滅するように見せることができる。
【００８４】
詳細には、第１の実施形態の遊技機器用照明装置によれば、光源Ｌ１，Ｌ１’を点滅させる必要なく、かつ、光源Ｌ１，Ｌ１’を移動させる必要なく、羽根車１を回転させることにより、光が直線Ｘ上を移動しながら点滅するように見せることができる。
【００８５】
換言すれば、第１の実施形態の遊技機器用照明装置によれば、羽根車１を回転させることにより、光源Ｌ１，Ｌ１’を点滅させる必要なく、羽根車１の周囲が点滅するように見せることができる。詳細には、第１の実施形態の遊技機器用照明装置によれば、１つの光源Ｌ１を用いることによって、羽根車１の周囲の複数の異なる位置Ｐ１，Ｐ２，Ｐ３が点滅するように見せることができ、１つの光源Ｌ１’を用いることによって、羽根車１の周囲の複数の異なる位置Ｐ１’，Ｐ２’，Ｐ３’が点滅するように見せることができる。
【００８６】
更に、第１の実施形態の遊技機器用照明装置では、上述したように、反射面Ｓ１が楕円系反射面によって構成されている。詳細には、第１の実施形態の遊技機器用照明装置では、図４に示すように、光源Ｌ１からの光が反射面Ｓ１に照射される瞬間に、Ｓ１反射面の第１焦点Ｓ１ａ上、あるいは、その近傍に光源Ｌ１が位置するように、反射面Ｓ１が羽根車１の背面（図４の下側の面）に形成されると共に、その瞬間に、反射面Ｓ１とその第２焦点Ｓ１ｂとの延長線Ａ１，Ａ２上にリフレクタＲ１が位置するように、リフレクタＲ１が形成されている。
【００８７】
つまり、第１の実施形態の遊技機器用照明装置では、図５に示すように、光源Ｌ１からの光が反射面Ｓ１に照射される瞬間に、反射面Ｓ１に照射された光源Ｌ１からの光の殆どが、反射面Ｓ１およびリフレクタＲ１を経て、羽根車１の表面側（図５の上側）に照射される。
【００８８】
そのため、第１の実施形態の遊技機器用照明装置によれば、光源Ｌ１の発光量を増加させる必要なく、位置Ｐ１（リフレクタＲ１）が明るく点滅するように見せることができる。同様に、光源Ｌ１’の発光量を増加させる必要なく、位置Ｐ１’（リフレクタＲ１’）が明るく点滅するように見せることができる。
【００８９】
また、第１の実施形態の遊技機器用照明装置では、上述したように、反射面Ｓ２が楕円系反射面によって構成されている。詳細には、第１の実施形態の遊技機器用照明装置では、図７に示すように、光源Ｌ１からの光が反射面Ｓ２に照射される瞬間に、Ｓ２反射面の第１焦点Ｓ２ａ上、あるいは、その近傍に光源Ｌ１が位置するように、反射面Ｓ２が羽根車１の背面（図７の下側の面）に形成されると共に、その瞬間に、反射面Ｓ２とその第２焦点Ｓ２ｂとの延長線Ｂ１，Ｂ２上にリフレクタＲ２が位置するように、リフレクタＲ２が形成されている。
【００９０】
つまり、第１の実施形態の遊技機器用照明装置では、図８に示すように、光源Ｌ１からの光が反射面Ｓ２に照射される瞬間に、反射面Ｓ２に照射された光源Ｌ１からの光の殆どが、反射面Ｓ２およびリフレクタＲ２を経て、羽根車１の表面側（図８の上側）に照射される。
【００９１】
そのため、第１の実施形態の遊技機器用照明装置によれば、光源Ｌ１の発光量を増加させる必要なく、位置Ｐ２（リフレクタＲ２）が明るく点滅するように見せることができる。同様に、光源Ｌ１’の発光量を増加させる必要なく、位置Ｐ２’（リフレクタＲ２’）が明るく点滅するように見せることができる。
【００９２】
更に、第１の実施形態の遊技機器用照明装置では、上述したように、反射面Ｓ３が楕円系反射面によって構成されている。詳細には、第１の実施形態の遊技機器用照明装置では、図１０に示すように、光源Ｌ１からの光が反射面Ｓ３に照射される瞬間に、Ｓ３反射面の第１焦点Ｓ３ａ上、あるいは、その近傍に光源Ｌ１が位置するように、反射面Ｓ３が羽根車１の背面（図１０の下側の面）に形成されると共に、その瞬間に、反射面Ｓ３とその第２焦点Ｓ３ｂとの延長線Ｃ１，Ｃ２上にリフレクタＲ３が位置するように、リフレクタＲ３が形成されている。
【００９３】
つまり、第１の実施形態の遊技機器用照明装置では、図１１に示すように、光源Ｌ１からの光が反射面Ｓ３に照射される瞬間に、反射面Ｓ３に照射された光源Ｌ１からの光の殆どが、反射面Ｓ３およびリフレクタＲ３を経て、羽根車１の表面側（図１１の上側）に照射される。
【００９４】
そのため、第１の実施形態の遊技機器用照明装置によれば、光源Ｌ１の発光量を増加させる必要なく、位置Ｐ３（リフレクタＲ３）が明るく点滅するように見せることができる。同様に、光源Ｌ１’の発光量を増加させる必要なく、位置Ｐ３’（リフレクタＲ３’）が明るく点滅するように見せることができる。
【００９５】
また、第１の実施形態の遊技機器用照明装置では、図３に示すように、羽根車１の周方向の反射面Ｓ１の幅寸法Ｗ１と、羽根車１の周方向の反射面Ｓ２の幅寸法Ｗ２と、羽根車１の周方向の反射面Ｓ３の幅寸法Ｗ３とが等しくなるように、反射面Ｓ１、反射面Ｓ２および反射面Ｓ３が形成されている。
【００９６】
更に、第１の実施形態の遊技機器用照明装置では、図４に示すように、位置Ｐ１と位置Ｐ２との間隔Ｗ１２と、位置Ｐ２と位置Ｐ３との間隔Ｗ２３とが等しくなり、位置Ｐ１’と位置Ｐ２’との間隔Ｗ１２’と、位置Ｐ２’と位置Ｐ３’との間隔Ｗ２３’とが等しくなるように、位置Ｐ１，Ｐ２，Ｐ３，Ｐ１’，Ｐ２’，Ｐ３’が設定されている。
【００９７】
そのため、第１の実施形態の遊技機器用照明装置によれば、羽根車１を等速で回転させることにより、位置Ｐ１，Ｐ１’（リフレクタＲ１，Ｒ１’）が点灯して見える期間と、位置Ｐ２，Ｐ２’（リフレクタＲ２，Ｒ２’）が点灯して見える期間と、位置Ｐ３，Ｐ３’（リフレクタＲ３，Ｒ３’）が点灯して見える期間とを等しくすることができ、その結果、位置Ｐ１と位置Ｐ３との間、および、位置Ｐ１’と位置Ｐ３’との間で光が直線Ｘ上を等速運動しながら点滅するように見せることができる。
【００９８】
第１の実施形態の遊技機器用照明装置では、図２に示すように、羽根車１の周方向の反射面Ｓ１の幅寸法Ｗ１と、羽根車１の周方向の反射面Ｓ２の幅寸法Ｗ２と、羽根車１の周方向の反射面Ｓ３の幅寸法Ｗ３とが等しくされているが、第２の実施形態の遊技機器用照明装置では、代わりに、それらを互いに異ならせることも可能である。
【００９９】
第１の実施形態の遊技機器用照明装置では、図４に示すように、位置Ｐ１と位置Ｐ２との間隔Ｗ１２と、位置Ｐ２と位置Ｐ３との間隔Ｗ２３とが等しくされ、位置Ｐ１’と位置Ｐ２’との間隔Ｗ１２’と、位置Ｐ２’と位置Ｐ３’との間隔Ｗ２３’とが等しくされているが、第３の実施形態の遊技機器用照明装置では、代わりに、それらを互いに異ならせることも可能である。
【０１００】
第１の実施形態の遊技機器用照明装置では、反射面Ｓ１，Ｓ２，Ｓ３が楕円系反射面によって構成されているが、第４の実施形態の遊技機器用照明装置では、代わりに、反射面Ｓ１，Ｓ２，Ｓ３を楕円系反射面以外の任意の面によって構成することも可能である。
【０１０１】
第１の実施形態の遊技機器用照明装置では、リフレクタＲ１，Ｒ２，Ｒ３，Ｒ１’，Ｒ２’，Ｒ３’の反射面が平面によって構成されているが、第５の実施形態の遊技機器用照明装置では、代わりに、リフレクタＲ１，Ｒ２，Ｒ３，Ｒ１’，Ｒ２’，Ｒ３’の反射面を例えば放物系反射面などのような任意の面によって構成することも可能である。
【０１０２】
第１の実施形態の遊技機器用照明装置では、図５、図８および図１１に示すように、反射面Ｓ１，Ｓ２，Ｓ３からの反射光が羽根車１の中心軸線１’を中心とする放射状に指向せしめられ、図２に示すように、リフレクタＲ１，Ｒ２，Ｒ３，Ｒ１’，Ｒ２’，Ｒ３’が羽根車１の中心軸線１’と直交する直線Ｘ上に配列されているが、第６の実施形態の遊技機器用照明装置では、代わりに、反射面Ｓ１，Ｓ２，Ｓ３からの反射光を互いに異なる向きに指向させ、リフレクタＲ１，Ｒ２，Ｒ３，Ｒ１’，Ｒ２’，Ｒ３’を直線Ｘ上から逸脱させて配列することも可能である。
【０１０３】
第１の実施形態の遊技機器用照明装置では、図２および図３に示すように、反射面Ｓ１，Ｓ２，Ｓ３が、反射面Ｓ１→反射面Ｓ２→反射面Ｓ３→反射面Ｓ２→反射面Ｓ１→反射面Ｓ２→反射面Ｓ３→反射面Ｓ２→反射面Ｓ１の順で配列されているが、第７の実施形態の遊技機器用照明装置では、代わりに、反射面Ｓ１，Ｓ２，Ｓ３を上述した順序とは異なる順序で配列することも可能である。
【０１０４】
第１の実施形態の遊技機器用照明装置では、図２および図３に示すように、３種類の反射面Ｓ１，Ｓ２，Ｓ３が羽根車１の背面（図２の奥側の面、図３の手前側の面）に形成されているが、第８の実施形態の遊技機器用照明装置では、代わりに、３種類以外の任意の数の種類の反射面を羽根車１の背面に形成することも可能である。
【０１０５】
第１の実施形態の遊技機器用照明装置では、図２に示すように、羽根車１の中心軸線１’と直交する１本の直線Ｘ上にリフレクタＲ１，Ｒ２，Ｒ３，Ｒ１’，Ｒ２’，Ｒ３’が配列されているが、第９の実施形態の遊技機器用照明装置では、代わりに、羽根車１の中心軸線１’と直交する複数の直線上に複数のリフレクタを配列することも可能である。
【０１０６】
第１の実施形態の遊技機器用照明装置では、透光性を有さない材料によって羽根車１が形成されているが、第１０の実施形態の遊技機器用照明装置では、代わりに、透光性を有する材料によって羽根車１を形成することも可能である。
【０１０７】
第１の実施形態の遊技機器用照明装置では、例えばパチンコ玉、ピンボール球などのような遊技機器で用いられる球によって羽根車１が回転せしめられるが、第１１の実施形態の遊技機器用照明装置では、代わりに、例えばモータなどのような羽根車１を回転させ続けるための駆動手段を設けることも可能である。
【０１０８】
第１２の実施形態では、上述した第１から第１１の実施形態を適宜組合わせることも可能である。
【図面の簡単な説明】
【０１０９】
【図１】第１の実施形態の遊技機器用照明装置の要部の斜視図である。
【図２】第１の実施形態の遊技機器用照明装置の要部の平面図である。
【図３】図１および図２に示した羽根車１を背面側（図１の下側、図２の奥側）から見た図である。
【図４】直線Ｘおよび羽根車１の中心軸線１’を含む平面によって切断した第１の実施形態の遊技機器用照明装置の要部の断面図である。
【図５】反射面Ｓ１が光源Ｌ１，Ｌ１’と対向せしめられ、光源Ｌ１，Ｌ１’からの光が反射面Ｓ１に照射される瞬間における光源Ｌ１，Ｌ１’からの光の光路を示した図である。
【図６】反射面Ｓ２が光源Ｌ１，Ｌ１’と対向せしめられる瞬間における図２と同様の第１の実施形態の遊技機器用照明装置の要部の平面図である。
【図７】反射面Ｓ２が光源Ｌ１，Ｌ１’と対向せしめられる瞬間における図４と同様の第１の実施形態の遊技機器用照明装置の要部の断面図である。
【図８】反射面Ｓ２が光源Ｌ１，Ｌ１’と対向せしめられる瞬間における図５と同様の光源Ｌ１，Ｌ１’からの光の光路を示した図である。
【図９】反射面Ｓ３が光源Ｌ１，Ｌ１’と対向せしめられる瞬間における図２と同様の第１の実施形態の遊技機器用照明装置の要部の平面図である。
【図１０】反射面Ｓ３が光源Ｌ１，Ｌ１’と対向せしめられる瞬間における図４と同様の第１の実施形態の遊技機器用照明装置の要部の断面図である。
【図１１】反射面Ｓ３が光源Ｌ１，Ｌ１’と対向せしめられる瞬間における図５と同様の光源Ｌ１，Ｌ１’からの光の光路を示した図である。
【符号の説明】
【０１１０】
１                      羽根車
１’                    中心軸線
２                      ベース部
Ｌ１，Ｌ１’            光源
Ｌ１ａ，Ｌ１ａ’        主光軸線
Ｓ１，Ｓ２，Ｓ３        反射面
Ｐ１，Ｐ２，Ｐ３        位置
Ｐ１’，Ｐ２’，Ｐ３’  位置
Ｒ１，Ｒ２，Ｒ３        リフレクタ
Ｒ１’，Ｒ２’，Ｒ３’  リフレクタ
【図１】
2007330705.tif 000003
【図２】
2007330705.tif 000004
【図３】
2007330705.tif 000005
【図４】
2007330705.tif 000006
【図５】
2007330705.tif 000007
【図６】
2007330705.tif 000008
【図７】
2007330705.tif 000009
【図８】
2007330705.tif 000010
【図９】
2007330705.tif 000011
【図１０】
2007330705.tif 000012
【図１１】
2007330705.tif 000013